(57)【要約】      （修正有）【課題】エアダスター等の空圧機器を着脱容易に保持することができ、かつ、エアホースとの接続部を保護することができる空圧機器ホルダーを提供する。【解決手段】管継手の雄コネクタが取り付けられている空圧機器を保持するための空圧機器ホルダー１であって、雄コネクタが挿入される筒状の本体部２′と、本体部に備えられており、雄コネクタが本体部に挿入されることにより、外周溝に係合するロックボール４′と、本体部に環装されており、本体部に対してスライド操作されることにより、ロックボールと外周溝の係合を解除する外スライド部６′と、本体部に連結されて作業者の衣服又は装備に係止するための係止具９′とを備えることを特徴とする。【選択図】図５
0003158738.tif 000002
【実用新案登録請求の範囲】
【請求項１】
圧力エアを供給するエアホースに取り付けられる筒状の雌コネクタに雄コネクタが挿入されることにより、前記雌コネクタに備えられる継手ロックボールが雄コネクタの外周溝に係合して前記雌コネクタと前記雄コネクタが連結され、前記雌コネクタに環装される継手スリーブが前記雌コネクタに対してスライド操作されることにより、前記継手ロックボールと前記外周溝の係合が解除されて前記雌コネクタと前記雄コネクタが分離可能となる管継手の雄コネクタが取り付けられている空圧機器を保持するための空圧機器ホルダーであって、
前記雄コネクタが挿入される筒状の本体部と、
前記本体部に備えられており、前記雄コネクタが前記本体部に挿入されることにより、前記外周溝に係合するロックボールと、
前記本体部に環装されており、前記本体部に対してスライド操作されることにより、前記ロックボールと前記外周溝の係合を解除する外スライド部と、
前記本体部に連結されて作業者の衣服又は装備に係止するための係止具と、を備えてなることを特徴とする空圧機器ホルダー。
【請求項２】
圧力エアを供給するエアホースに取り付けられる筒状の雌コネクタに雄コネクタが挿入されることにより、前記雌コネクタに備えられる継手ロックボールが雄コネクタの外周溝に係合して前記雌コネクタと前記雄コネクタが連結され、前記雌コネクタに環装される継手スリーブが前記雌コネクタに対してスライド操作されることにより、前記継手ロックボールと前記外周溝の係合が解除されて前記雌コネクタと前記雄コネクタが分離可能となる管継手の雄コネクタが取り付けられている空圧機器を保持するための空圧機器ホルダーであって、
前記雄コネクタが挿入される筒状の本体部と、
前記本体部の周面に沿って放射状に配置されるとともに前記本体部の外側から内側に向かうにつれて縮径するよう貫通形成される複数のテーパ孔に各々収容されて、前記テーパ孔から前記本体部の内側に抜け落ちることなく前記本体部の内側に突出可能となる複数個のロックボールと、
前記本体部の内側に嵌挿されており、前記テーパ孔を前記本体部の内側から覆い塞ぐことにより前記ロックボールが前記本体部の内側に突出することを阻止する内側ロック解除位置と、前記テーパ孔を前記本体部の内側から覆うことなく前記ロックボールが前記本体部の内側に突出することを許容する内側ロック位置と、の間をスライド移動可能である内スライド部と、
前記本体部の外側に環装されるとともに、前記テーパ孔を前記本体部の外側から覆うことにより前記ロックボールが外部へ離脱することを阻止する環状体であり、その内周面沿いに設けられる突条部で前記ロックボールを押さえ込むことにより前記ロックボールが前記テーパ孔から前記本体部の内側に突出した状態を維持する外側ロック位置と、前記突条部が前記テーパ孔から退避することにより前記ロックボールが前記本体部の外側に突出することを許容する外側ロック解除位置と、の間をスライド移動可能である外スライド部と、
前記本体部と前記内スライド部との間に介在し、前記内スライド部を前記内側ロック位置へ向かうように付勢する内圧縮スプリングと、
前記本体部と前記外スライド部との間に介在し、前記外スライド部を前記外側ロック位置へ向かうように付勢する外圧縮スプリングと、を備えてなり、
前記雄コネクタが前記本体部に挿入されることにより、前記内スライド部が前記内側ロック解除位置へスライド移動して前記ロックボールが前記外周溝に係合し、前記外スライド部が前記外側ロック解除位置へスライド操作されることにより、前記ロックボールと前記外周溝の係合を解除することを特徴とする空圧機器ホルダー。
【考案の詳細な説明】
【技術分野】
【０００１】
本考案は、エアダスター等の空圧機器を作業者のベルト等に吊り下げて携帯するための空圧機器ホルダーに関する。
【背景技術】
【０００２】
ドライバー用ビットやレンチ用ソケット等、サイズが異なるものを付け替えて使用する小型工具は、保管場所や作業現場でバラバラに置かれたりして行方不明になることが多いため、その防止策として、取り外した小型工具を嵌合保持して携帯できるようにした工具用ホルダーが提案されている（例えば、特許文献１参照。）。これらの工具用ホルダーは、レンチ本体やドライバー本体に対する工具の差込部を嵌合させる受部（突起又は孔）を備えており、該受部をバネやゴム等の弾力性部材で形成し、その弾性力で保持することにより、工具の着脱容易性を確保している。また、工具用ホルダーに吊下具を一体的に設けることにより、作業者のベルトやベルト通しに吊り下げて携帯できるようにしている。
【先行技術文献】
【特許文献】
【０００３】
【特許文献１】特開平７−２９９７６３号公報
【考案の概要】
【考案が解決しようとする課題】
【０００４】
ところで、エアダスター等、圧力エアの供給を受けることにより機能する空圧機器についても、複数の異なる機器をエアホースに付け替えて使用することがあり、上記同様のホルダーを利用できれば便利であるが、エアダスター等の空圧機器については、ドライバー用ビット等に比べて一般に重量が大きいために、受部による保持力を高めに設定しておく必要があり、そのために良好な着脱操作性を得られなくなることが懸念される。また、受部による保持力を高く設定すると、ホルダーに対する空圧機器の着脱操作時における擦れ度合いが強くなり、長期間の使用で受部が摩耗する心配がある。更に空圧機器については、エアホースとの接続部における傷付きや異物付着によってエア洩れや詰まり等の不具合を生じ得るため、機器を保持するだけでは不十分で、接続部を保護するように覆う必要がある。
【０００５】
本考案は、上記事情に鑑みて、エアダスター等の空圧機器を着脱容易に保持することができ、かつ、エアホースとの接続部を保護することができる空圧機器ホルダーを提供することを目的とする。
【課題を解決するための手段】
【０００６】
本願請求項１の考案は、圧力エアを供給するエアホースに取り付けられる筒状の雌コネクタに雄コネクタが挿入されることにより、前記雌コネクタに備えられる継手ロックボールが雄コネクタの外周溝に係合して前記雌コネクタと前記雄コネクタが連結され、前記雌コネクタに環装される継手スリーブが前記雌コネクタに対してスライド操作されることにより、前記継手ロックボールと前記外周溝の係合が解除されて前記雌コネクタと前記雄コネクタが分離可能となる管継手の雄コネクタが取り付けられている空圧機器を保持するための空圧機器ホルダーであって、
前記雄コネクタが挿入される筒状の本体部と、
前記本体部に備えられており、前記雄コネクタが前記本体部に挿入されることにより、前記外周溝に係合するロックボールと、
前記本体部に環装されており、前記本体部に対してスライド操作されることにより、前記ロックボールと前記外周溝の係合を解除する外スライド部と、
前記本体部に連結されて作業者の衣服又は装備に係止するための係止具と、を備えてなることを特徴とする。
【０００７】
本願請求項２の考案は、圧力エアを供給するエアホースに取り付けられる筒状の雌コネクタに雄コネクタが挿入されることにより、前記雌コネクタに備えられる継手ロックボールが雄コネクタの外周溝に係合して前記雌コネクタと前記雄コネクタが連結され、前記雌コネクタに環装される継手スリーブが前記雌コネクタに対してスライド操作されることにより、前記継手ロックボールと前記外周溝の係合が解除されて前記雌コネクタと前記雄コネクタが分離可能となる管継手の雄コネクタが取り付けられている空圧機器を保持するための空圧機器ホルダーであって、
前記雄コネクタが挿入される筒状の本体部と、
前記本体部の周面に沿って放射状に配置されるとともに前記本体部の外側から内側に向かうにつれて縮径するよう貫通形成される複数のテーパ孔に各々収容されて、前記テーパ孔から前記本体部の内側に抜け落ちることなく前記本体部の内側に突出可能となる複数個のロックボールと、
前記本体部の内側に嵌挿されており、前記テーパ孔を前記本体部の内側から覆い塞ぐことにより前記ロックボールが前記本体部の内側に突出することを阻止する内側ロック解除位置と、前記テーパ孔を前記本体部の内側から覆うことなく前記ロックボールが前記本体部の内側に突出することを許容する内側ロック位置と、の間をスライド移動可能である内スライド部と、
前記本体部の外側に環装されるとともに、前記テーパ孔を前記本体部の外側から覆うことにより前記ロックボールが外部へ離脱することを阻止する環状体であり、その内周面沿いに設けられる突条部で前記ロックボールを押さえ込むことにより前記ロックボールが前記テーパ孔から前記本体部の内側に突出した状態を維持する外側ロック位置と、前記突条部が前記テーパ孔から退避することにより前記ロックボールが前記本体部の外側に突出することを許容する外側ロック解除位置と、の間をスライド移動可能である外スライド部と、
前記本体部と前記内スライド部との間に介在し、前記内スライド部を前記内側ロック位置へ向かうように付勢する内圧縮スプリングと、
前記本体部と前記外スライド部との間に介在し、前記外スライド部を前記外側ロック位置へ向かうように付勢する外圧縮スプリングと、を備えてなり、
前記雄コネクタが前記本体部に挿入されることにより、前記内スライド部が前記内側ロック解除位置へスライド移動して前記ロックボールが前記外周溝に係合し、前記外スライド部が前記外側ロック解除位置へスライド操作されることにより、前記ロックボールと前記外周溝の係合を解除することを特徴とする。
【考案の効果】
【０００８】
本願考案に係る空圧機器ホルダーによれば、圧力エアを供給するエアホースに取り付けられている雌コネクタと同様に、ロックボールと外スライド部（スリーブ）によるロック及びアンロック構造を備えてなるため、単に空圧機器に接続するエアホースを付け替えるような感覚で迅速に着脱操作を行うことができ、またロックボールの係合によって大きな保持力が得られる一方、外スライド部をスライド操作しない限り不意に外れることがない。また、上記従来の工具ホルダーのように、長期間使用による摩耗で保持力が低下する等の心配もない。更に空圧機器の雄コネクタは、筒状の本体部に覆われることによって傷付きや異物付着から保護されるので、エア洩れや詰まり等の不具合が確実に防止される。
【図面の簡単な説明】
【０００９】
【図１】本発明の空圧機器ホルダーの一実施例を示す断面図。
【図２】本発明の空圧機器ホルダーに保持される空圧機器で（ａ）高圧仕様の機器、及び（ｂ）低圧仕様の機器、（ｃ）空圧機器ホルダーに保持された状態を示す図。
【図３】上記一実施例の空圧機器ホルダーで高圧仕様の空圧機器を保持した状態を示す断面図。
【図４】上記一実施例の空圧機器ホルダーで低圧仕様の空圧機器を保持した状態を示す断面図。
【図５】本発明の空圧機器ホルダーの他の実施例を示す断面図。
【図６】上記他の実施例の空圧機器ホルダーで高圧仕様の空圧機器を保持した状態の断面図。
【図７】上記他の実施例の空圧機器ホルダーで低圧仕様の空圧機器を保持した状態の断面図。
【考案を実施するための形態】
【００１０】
以下、本考案の実施形態について具体例を用いて説明する。
【実施例１】
【００１１】
図１に示される空圧機器ホルダー１は、圧力エアを供給するエアホースに管継手を介して接続することにより作動可能となる空圧機器を保持するものであり、より具体的には、空圧機器ａ１，ｂ１（図２）に備えられる管継手の雄コネクタａ２，ｂ２に対して着脱自在に連結されるように構成される。空圧機器ａ１，ｂ１は、押釦ａ３，ｂ３を押圧操作することによりエア吹出口ａ４，ｂ４から圧力エアを噴出して、機械等に付着した埃や水気を除去することができるエアダスターである。
【００１２】
上記両空圧機器において、空圧機器ａ１が２．５Ｍｐａ程度の供給エア圧に対応する高圧仕様とされている一方、空圧機器ｂ１が０．５〜０．８Ｍｐａ程度の供給エア圧に対応する低圧仕様とされている点に違いがあり、それに対応して、空圧機器ａ１の雄コネクタａ２の先端外径は、空圧機器ｂ１の雄コネクタｂ２のそれよりも細く、また、各雄コネクタの根元近くに形成される外周溝ａ５，ｂ５からコネクタ先端までの長さは、雄コネクタａ２が雄コネクタｂ２よりもやや長く設定されているが、外周溝ａ５，ｂ５が形成されている大径部分ａ６，ｂ６の外径は略同寸法に設定されている。なお、本発明を適用可能な空圧機器は、エアダスターに限らず、エアドライバーやエアレンチ等のエア駆動工具も含まれる。
【００１３】
空圧機器ａ１，ｂ１に備えられる管継手の雄コネクタａ２，ｂ２は、圧力エア供給源に接続されるエアホースに取り付けられる筒状の雌コネクタ（不図示）に挿入することにより、雌コネクタに備えられて雌コネクタの内側に突出可能な複数の継手ロックボールが、雄コネクタａ２，ｂ２の周囲に形成される断面概ねコ字形の外周溝ａ５，ｂ５に係合し、これにより雌コネクタと雄コネクタａ２，ｂ２が連結固定される。
【００１４】
また、雌コネクタと雄コネクタａ２，ｂ２が連結された状態において、雌コネクタの外側に環装されてロックボールのコネクタ内側への突出を制御する継手スリーブを雌コネクタに対してスライド操作することで、継手ロックボールと外周溝ａ５，ｂ５の係合が解除され、これにより雌コネクタと雄コネクタがａ２，ｂ２が分離可能となる。なお、上記各雄コネクタａ２，ｂ２と連結される雌コネクタは、雄コネクタａ２，ｂ２の先端形状に合わせた形状及びシール構造が採用されていることは勿論である。
【００１５】
さて、空圧機器ホルダー１は、図１に示されるように、筒状の本体部２と、本体部２の後部開口２ａを閉鎖するように取り付けられる蓋部３と、本体部２の周面に放射状に配置形成される複数のテーパ孔２ｃに各々収容される複数個のロックボール４と、本体部２の内側にスライド移動可能に嵌挿される筒状の内スライド部５と、本体部２の外側にスライド移動可能に環装される筒状の外スライド部６と、本体部２と内スライド部５との間に介在する内圧縮スプリング７と、本体部２と外スライド部６との間に介在する外圧縮スプリング８と、蓋部３に取り付けられて作業者の衣服や装備に着脱自在に係止される係止具９と、を備えてなる。
【００１６】
本体部２は、両端に後部開口２ａ及び前部開口２ｂを有する円筒形状体であり、前部開口２ｂから挿入される空圧機器ａ１，ｂ１の雄コネクタａ２，ｂ２を収容する。後部開口２ａの内周縁には、蓋部３を螺合するための雌ネジが形成されており、外周縁には、スパナを掛けるための六角形状が形成されている。また、前部開口２ｂ寄りの外周縁には、本体部２の外側に環装される外スライド部６の抜け止めとなる抜止リング２１を係止するＣリング２２を嵌合する嵌合溝２ｄが周設されている。本体部２は、その外側の筒軸方向における中途部において外径の違いによる段差２ｅが形成されており、段差２ｅよりも前方側の外径が小径に、後方側の外径が大径に形成されている。
【００１７】
また、本体部２の内側の軸方向における中途部において、内径の違いによる段差２ｆが形成されており、段差２ｆよりも前方側の内径が小径に、後方側の外径が大径に形成されている。本体部２の前方側の内径は、雄コネクタａ２，ｂ２の大径部分ａ６，ｂ６の外径よりも僅かに大きく設定されている。段差２ｆは、段差２ｅよりも前方寄りに形成されており、段差２ｆより前方の外径及び内径が共に小径である周面沿いに、９０度ずつ等間隔で４個のテーパ孔２ｃが放射状に配置形成されている。各テーパ孔２ｃは、前記本体部の外側から内側に向かうにつれて縮径する傾斜が付けられており、本体部２の内外を貫通するように形成される。
【００１８】
蓋部３は、本体部２の後部開口２ａに形成される雌ネジと螺合する雄ネジが外周面３ａに形成される円筒体であって、本体部２に取り付けられた状態で外側に露出する円形面３ｂの中央部に円柱状の取り付け部３ｃが突設され、取り付け部３ｃに係止具取り付け孔３ｄが形成されている。また、本体部２の内側に向けられる円形面には、内圧縮スプリング７を受ける受座であるとともに、空圧機器との連結の際に本体部２内を後退してくる内スライド部５との干渉を避けるための逃げとなる凹状穴３ｅが形成されている。
【００１９】
ロックボール４は、各テーパ孔２ｃに一個ずつ収容される金属球で、テーパ孔２ｃとロックボール４は、ロックボール４がテーパ孔２ｃから本体部２の内側に抜け落ちることなく、かつ、本体部２の内側に突出可能となる寸法関係を有する。また、ロックボール４は、テーパ孔２ｃ内に収容された状態でテーパ孔２ｃの両端開口の何れかが閉鎖されると、それによって残りの開放している開口から突出するように、テーパ孔２ｃの深さ寸法よりも大きな径寸法を有する。
【００２０】
内スライド部５は、後部開口２ａから本体部２の内側に嵌挿される円筒形状体であり、その筒穴５ａの前部開口は、本体部２に挿入されてくる空圧機器ａ１，ｂ１の雄コネクタａ２，ｂ２の大径部分ａ６，ｂ６と係合可能となるようにテーパ状に形成されている。また、内スライド部５は、本体部２の内側前方に形成される小径部分によってスライド移動可能に支持されており、筒軸方向の中途部に一体的に設けられる環状の突条部５ｂによって、前部開口２ｂへ向かう動きが規制されており、突条部５ｂの後方は、後退時に凹状穴３ｅと干渉しない程度の小径に形成されている。
【００２１】
上記構成により、内スライド部５は、テーパ孔２ｃを本体部２の内側から覆い塞ぐことによりロックボール４が本体部２の内側に突出することを阻止する内側ロック解除位置（図１において表される位置）と、テーパ孔２ｃを本体部２の内側から覆うことなくロックボール４が本体部２の内側に突出することを許容する内側ロック位置（図３又は４において表される位置）と、の間をスライド可能とされている。
【００２２】
外スライド部６は、本体部２の大径部分に応じた内径寸法を有し、本体部２の外側に前方から環装される円筒形状体であり、テーパ孔２ｃを本体部２の外側から覆うことによりロックボール４が外部へ離脱することを阻止する。外スライド部６の内側における筒軸方向の中途部には、本体部２の小径部分に応じた内径寸法を有する突条部６ｂが形成されており、これによって本体部２の後方へのスライド移動量が規制されており、また外スライド部６が環装された状態において、本体部２に取り付けられる抜止リング２１によって前方への移動が規制されている。
【００２３】
上記構成により、外スライド部６は、内周面沿いに設けられる突条部６ｂでロックボール４を内側へ押し込むことにより、ロックボール４がテーパ孔２ｃから本体部２の内側に突出した状態を維持する外側ロック位置（図３又は４において表される位置）と、突条部６ｂがテーパ孔２ｃから退避することにより、ロックボール４が本体部２の外側に突出することを許容する外側ロック解除位置（図１において表される位置）と、の間をスライド移動可能とされている。
【００２４】
内圧縮スプリング７は、本体部２と内スライド部５との間に介在されており、一端が蓋部３に形成される凹状穴３ｅに着座する一方、他端が内スライド部５に形成される突条部５ｂに着座しており、内スライド部５を図３又は図４において表される内側ロック位置へ向かうように付勢している。
【００２５】
外圧縮スプリング８は、本体部２と外スライド部６との間に介在されており、一端が本体部２に形成される段差２ｅに着座する一方、他端が外スライド部６に形成される突条部６ｂに着座しており、外スライド部６を図３又は図４において表される外側ロック位置へ向かうように付勢している。
【００２６】
係止具９は、針金をコイル状に巻くことにより形成される環状体であり、係止具取り付け孔３ｄに挿通されることによって本体部２に連結されており、これを作業者の衣服や装備、例えば作業ズボンのベルト通しやベルトに挿通して、空圧機器ホルダー１を係止することができる。なお、係止具は、本実施形態で示すコイル状の環状体に限らず、一部が開閉できるカラビナ状の環状体や紐状体を採用しても良い。
【実施例２】
【００２７】
図５に示される空圧機器ホルダー１′も、空圧機器ａ１，ｂ１（図２）の雄コネクタａ２，ｂ２に対して着脱自在に連結できるように構成される。
【００２８】
空圧機器ホルダー１′は、筒状の本体部２′と、本体部２′の周面に放射状に配置形成される複数のテーパ孔２ｃ′に各々収容される複数個のロックボール４′と、本体部２′の内側にスライド移動可能に嵌挿される筒状の内スライド部５′と、本体部２′の外側にスライド移動可能に環装される筒状の外スライド部６′と、本体部２′と内スライド部５′との間に介在する内圧縮スプリング７′と、本体部２′と外スライド部６′との間に介在する外圧縮スプリング８′と、本体部２′に取り付けられる係止具９′と、を備える。
【００２９】
本体部２′は、一端に前部開口２ｂ′を有する有底円筒形状体であり、空圧機器ａ１，ｂ１の雄コネクタａ２，ｂ２を収容する。閉鎖されている他端２ａ′は、外周縁にスパナを掛けるための六角形状が形成されており、外側中央には、円柱状の取り付け部２３が突設され、そこに係止具取り付け孔２３ｄが形成されている。前部開口２ｂ′の外周縁には、本体部２′の外側に環装される外スライド部６′の抜け止めとなる抜止リング２１′を係止するＣリング２２′が嵌合される嵌合溝２ｄ′が周設されている。
【００３０】
本体部２′は、その外側の筒軸方向における中途部において外径の違いによる段差２ｅ′が形成され、段差２ｅ′の前方側の外径は、後方側の外径より小径とされている。段差２ｅ′より前方の小径部分の周面沿いには、９０度ずつ等間隔で４個のテーパ孔２ｃ′が放射状に配置形成されている。各テーパ孔２ｃ′は、前記本体部の外側から内側に向かうにつれて縮径する傾斜が付けられており、本体部２′の内外を貫通している。
【００３１】
ロックボール４′は、各テーパ孔２ｃ′に一個ずつ収容される金属球で、テーパ孔２ｃ′から本体部２′の内側に抜け落ちることなく、かつ、本体部２′の内側に突出可能となる寸法とされている。また、ロックボール４′は、テーパ孔２ｃ′内に収容された状態でテーパ孔２ｃ′の両端開口の一方が閉鎖されると、開放されている他方の開口から突出するように、テーパ孔２ｃ′の深さ寸法よりも大径とされている。
【００３２】
内スライド部５′は、本体部２の内側にスライド可能移動に嵌挿される円筒形状体で、その筒穴５ａ′の前部開口は、空圧機器ａ１，ｂ１の雄コネクタａ２，ｂ２の大径部分ａ６，ｂ６と係合可能となるテーパ状に形成されている。また、内スライド部５′は、本体部２′の開口内周縁に設けられる周溝２ｇに係合するＣリング２４によって、開口２ｂ′から出ないように動きが規制されている。
【００３３】
上記構成により、内スライド部５′は、テーパ孔２ｃ′を本体部２′の内側から覆ってロックボール４′が本体部２′の内側に突出することを阻止する内側ロック解除位置（図５で表される位置）と、テーパ孔２ｃ′を本体部２′の内側から覆うことなくロックボール４′が本体部２′の内側に突出することを許容する内側ロック位置（図６又は７で表される位置）と、の間をスライド可能とされている。
【００３４】
外スライド部６′は、本体部２′の外側に前方から環装される円筒形状体で、テーパ孔２ｃ′を本体部２′の外側から覆ってロックボール４′が外部へ離脱することを阻止する。外スライド部６′の内側における筒軸方向の中途部には、本体部２の段差２ｅ′に対向する段差６ｂ′が形成されており、これで本体部２′の後方へのスライド移動量が規制される一方、上述した抜止リング２１′で前方への移動が規制されている。
【００３５】
上記構成により、外スライド部６′は、ロックボール４′を押し込んで、ロックボール４′をテーパ孔２ｃ′から本体部２′の内側に突出した状態を維持する外側ロック位置（図６又は７で表される位置）と、テーパ孔２ｃから退避して、ロックボール４′が本体部２の外側に突出することを許容する外側ロック解除位置（図５で表される位置）と、の間をスライド可能とされている。
【００３６】
内圧縮スプリング７′は、本体部２′と内スライド部５′との間に介在し、内スライド部５′を図６又は図７で表す内側ロック位置へ向かうように付勢する。外圧縮スプリング８′は、本体部２′と外スライド部６′との間に介在し、一端が本体部２の段差２ｅ′に着座する一方、他端が外スライド部６の段差６ｂ′に着座し、外スライド部６′を図６又は図７で表す外側ロック位置へ向かうように付勢する。係止具９は、実施例１の係止具９′と同様の環状体であるが、カラビナ状の環状体や紐状体を採用しても良い。
【符号の説明】
【００３７】
１，１′    空圧機器ホルダー（エアダスター）
２，２′    本体部
２ａ        後部開口
２ｂ，２ｂ′    前部開口
２ｃ，２ｃ′    テーパ孔
２ｄ，２ｄ′    嵌合溝
２ｅ，２ｅ′    段差
２ｆ        段差
２ｇ′        Ｃリング
３        蓋部
４，４′    ロックボール
５，５′    内スライド部
５ａ        筒穴
５ｂ        突条部
６，６′    外スライド部
６ｂ        突条部
７，７′    内圧縮スプリング
８，８′    外圧縮スプリング
９，９′    係止具
２１，２１′    抜止リング
２２，２２′    Ｃリング
ａ１    空圧機器
ａ２    雄コネクタ
ｂ１    空圧機器
ｂ２    雄コネクタ
【図１】
0003158738.tif 000003
【図２】
0003158738.tif 000004
【図３】
0003158738.tif 000005
【図４】
0003158738.tif 000006
【図５】
0003158738.tif 000007
【図６】
0003158738.tif 000008
【図７】
0003158738.tif 000009